(57)【要約】【課題】  自動販売機に設置した傾斜面を有する商品見本装着台に見本体を取り付けるための保持具及びこの保持具を用いた商品見本を提供する。【課題の解決手段】  商品見本は、商品見本装着台３１の傾斜面３２に設けた商品見本装着孔３３に取り付ける見本体保持具１と、この見本体保持具１に保持される光透過性を有する合成樹脂製で下部側面は前記傾斜面３２にならって傾斜する半割状の見本体２１とからなるもので、見本体保持具１は、弾性を有する合成樹脂からなり、商品見本装着孔３３の縁部に着脱可能に嵌着するための断面が鉤状の取付部２と、この取付部を商品見本装着孔３３の縁部に嵌着したときに商品見本装着台３１の外部に位置して見本体２１の底部を着脱可能に挟持するために対向面に凹凸部９ａ，９ｂを形成した一対の保持板１０ａ，１０ｂからなる保持部３を備える。【選択図】    図７
2005050087.tif 000002
【特許請求の範囲】
【請求項１】
自動販売機の手前側から奥側に向けて上昇する傾斜面を有し、内部に配置した照明器具の光を通過させる照明用透孔を兼ねる商品見本装着孔を前記傾斜面に設けてなる商品見本装着台に、前記商品見本装着孔に対して取り付ける見本体保持具であって、弾性を有する合成樹脂からなり、前記商品見本装着孔の縁部に着脱可能に嵌着するための取付部と、この取付部を前記商品見本装着孔の縁部に嵌着したときに前記商品見本装着台の外部に位置して見本体の底部を着脱可能に挟持するための保持部を備えることを特徴とする自動販売機用見本体保持具。
【請求項２】
取付部は断面が鉤状であり、保持部は見本体の底部を挟持すべく対向するとともに、対向面には凹凸部を形成した一対の保持板からなることを特徴とする請求項１に記載の自動販売機用見本体保持具。
【請求項３】
取付部は、断面が鉤状の取付基部と、この取付基部から上方に伸びて上部には商品見本装着孔の内縁に係合する係合凹部を有する一対の取付補助部とからなることを特徴とする請求項１または請求項２に記載の自動販売機用見本体保持具。
【請求項４】
自動販売機の手前側から奥側に向けて上昇する傾斜面を有し、内部に配置した照明器具の光を通過させる照明用透孔を兼ねる商品見本装着孔を前記傾斜面に設けてなる商品見本装着台に、前記商品見本装着孔に対して取り付ける見本体保持具と、この見本体保持具に保持される光透過性を有する合成樹脂製で下部側面は前記傾斜面にならって傾斜する半割状の見本体とからなる自動販売機用商品見本であって、前記見本体保持具は、弾性を有する合成樹脂からなり、前記商品見本装着孔の縁部に着脱可能に嵌着するための断面が鉤状の取付部と、この取付部を前記商品見本装着孔の縁部に嵌着したときに前記商品見本装着台の外部に位置して見本体の底部を着脱可能に挟持するために対向面に凹凸部を形成した一対の保持板からなる保持部を備えることを特徴とする自動販売機用商品見本。
【請求項５】
見本体の底部には、見本体保持具の一対の保持板に挟持されたとき左右方向の移動を規制するために、前記一対の保持板に係止する係止部を設けたことを特徴とする請求項４に記載の自動販売機用商品見本。
【発明の詳細な説明】
【技術分野】
【０００１】
本発明は、自動販売機において商品購入者が視認可能な位置に設置した商品見本装着台に見本体を取り付けるための保持具及びこの保持具を用いた商品見本に関する。
【背景技術】
【０００２】
従来の自動販売機における商品見本装着台としては、近年、商品見本の展示効果を上げるために、内部に照明器具を配置した構成のものが一般的になっているが、商品見本を装着する面が水平なものと、傾斜しているものとがあり、これら装着面に照明用透孔を兼ねる商品見本装着孔を設けている。照明効果の点では、水平面に照明用透孔を設けたものより、傾斜面に照明用透孔を設けたものの方が優れている。しかし、商品見本は、商品購入者が正面から見て、ほぼ垂直に配置されている必要があるので、傾斜面に商品見本を装着する装着台は、見本体を装着台に取り付けるための保持具の構造が複雑になる。
【特許文献１】特開２００３−１８７３１０号公報
【発明の開示】
【発明が解決しようとする課題】
【０００３】
このため、従来の傾斜面に照明用透孔を兼ねる商品見本装着孔を設けたものは、見本体を保持する保持具の製造コストが高いとともに、保持具の装着作業が煩雑で容易でなく、簡便性に欠けるという不都合を生じている。本発明は、この不都合を解消して、簡単な構造で、傾斜面を有する装着台への取付も容易な保持具及びこの保持具を用いた商品見本を提供することを目的とする。
【課題を解決するための手段】
【０００４】
この目的を達成するため、本発明の請求項１に係る自動販売機用見本体保持具は、自動販売機の手前側から奥側に向けて上昇する傾斜面を有し、内部に配置した照明器具の光を通過させる照明用透孔を兼ねる商品見本装着孔を前記傾斜面に設けてなる商品見本装着台に、前記商品見本装着孔に対して取り付ける見本体保持具であって、弾性を有する合成樹脂からなり、前記商品見本装着孔の縁部に着脱可能に嵌着するための取付部と、この取付部を前記商品見本装着孔の縁部に嵌着したときに前記商品見本装着台の外部に位置して見本体の底部を着脱可能に挟持するための保持部を備えるものである。
【０００５】
同じく上記目的を達成するために、本発明の請求項２に係る自動販売機用見本体保持具は、上記請求項１に記載の構成において、取付部は断面が鉤状であり、保持部は見本体の底部を挟持すべく対向するとともに、対向面には凹凸部を形成した一対の保持板からなるものである。
【０００６】
同じく上記目的を達成するために、本発明の請求項３に係る自動販売機用見本体保持具は、上記請求項１または請求項２に記載の構成において、取付部は、断面が鉤状の取付基部と、この取付基部から上方に伸びて上部には商品見本装着孔の内縁に係合する係合凹部を有する一対の取付補助部とからなるものである。
【０００７】
同じく上記目的を達成するために、本発明の請求項４に係る自動販売機用商品見本は、商品見本装着台に、前記商品見本装着孔に対して取り付ける見本体保持具と、この見本体保持具に保持される光透過性を有する合成樹脂製で下部側面は前記傾斜面にならって傾斜する半割状の見本体とからなる自動販売機用商品見本であって、前記見本体保持具は、弾性を有する合成樹脂からなり、前記商品見本装着孔の縁部に着脱可能に嵌着するための断面が鉤状の取付部と、この取付部を前記商品見本装着孔の縁部に嵌着したときに前記商品見本装着台の外部に位置して見本体の底部を着脱可能に挟持するために対向面に凹凸部を形成した一対の保持板からなる保持部を備えるものである。
【０００８】
同じく上記目的を達成するために、本発明の請求項５に係る自動販売機用商品見本は、上記請求項４に記載の構成において、見本体の底部には、見本体保持具の一対の保持板に挟持されたとき左右方向の移動を規制するために、前記一対の保持板に係止する係止部を設けたものである。
【発明の効果】
【０００９】
本発明の請求項１に係る自動販売機用見本体保持具によれば、簡単な構成で傾斜面を有する商品見本装着台に対する脱着動作が容易であるとともに、安価に提供できるという効果を奏する。
【００１０】
本発明の請求項２に係る自動販売機用見本体保持具によれば、簡単な構成で傾斜面を有する商品見本装着台に対する脱着動作が容易であるとともに、安価に提供でき、見本体の保持も確実であるという効果を奏する。
【００１１】
本発明の請求項３に係る自動販売機用見本体保持具によれば、上記請求項１または２の発明の効果に加えて、傾斜面を有する商品見本体装着台への取り付けをより安定した状態で行うことができるという効果を奏する。
【００１２】
本発明の請求項４に係る自動販売機用商品見本によれば、傾斜面を有する商品見本体装着台に使用する商品見本として脱着動作が容易で、安価に提供できるという効果を奏する。
【００１３】
本発明の請求項５に係る自動販売機用商品見本によれば、請求項４の発明に加えて、商品見本体装着台への取付状態がより安定したものになるという効果を奏する。
【発明を実施するための最良の形態】
【００１４】
以下、本発明の好適な実施形態を添付図面に基づいて説明する。ここにおいて、図１は見本体保持具の正面図、図２は同じく側面図、図３は図２のＡ−Ａ線断面図、図４は見本体保持具の一方の取付補助部の平面図、図５見本体の斜視図、図６は商品見本装着台の商品見本装着孔を示す平面図、図７は商品見本を商品見本装着台に取り付けた状態の断面図である。
【００１５】
はじめに、商品見本装着台について説明する。図６及び図７に示すように、商品見本装着台３１は、自動販売機（図示せず）内の商品見本展示部（図示せず）に配置して固定するもので、自動販売機の手前側から奥側に向けて上昇する傾斜面３２を有している。この傾斜面３２には、内部に配置した照明器具（図示せず）の光を通過させる照明用透孔を兼ねる複数の商品見本装着孔３３を設けている。そして、この商品見本装着孔３３の数は、前記商品見本展示部に対応する商品見本装着台３１の長さ及び自動販売機で販売する商品の種類数に応じて決定される。
【００１６】
次に、商品見本装着孔３３に取り付ける自動販売機用商品見本について説明する。自動販売機用商品見本は、図７に示すように、前記商品見本装着孔３３に取り付ける見本体保持具１と、この見本体保持具１で保持する見本体２１とからなる。
【００１７】
見本体２１は、ボトル状の中空成形商品容器を前後に半割状にした形状で光透過性を有する合成樹脂製である。そして、図示してはいないが、商品容器のデザインにならった図柄や文字を表示している。図５及び図７に示すように、見本体２１の下部側面は、商品見本装着台３１の傾斜面３２にならって傾斜した傾斜面２２を形成し、前記見本保持具１で保持したときに前記傾斜面２３に接触して安定的に保持されるよう構成している。また、図５に示すように、見本体２１の底部２３には、端縁の中央部に長方形状に切り欠いた係止部２４を設けている。この係止部２４は、見本体２１を、後述する見本体保持具１の一対の保持板で挟持したときに、左右方向の移動を規制するためのものである。
【００１８】
また、見本体保持具１も、弾性を有する合成樹脂製である。この見本保持具１は、図１及び図２に示すように、商品見本装着孔３３の下端縁部３３ａ（図６参照）に着脱可能に嵌着するための取付部２と、この取付部２を前記商品見本装着孔３３の下端縁部３３ａに嵌着したときに商品見本装着台３１の外部に位置して（図７参照）、見本体２１の底部２３を着脱可能に挟持するための保持部３とからなる。
【００１９】
取付部２は、断面が鉤状の取付基部４と、この取付基部４の両側端からそれぞれ上方に伸びて、上部には商品見本装着孔３３の側部内縁に係合する係合凹部６ａ，６ｂを有する一対の取付補助部５ａ，５ｂとからなる。係合凹部６ａ，６ｂからさらに上方に伸びる壁面は、商品見本装着孔３３の側部内縁端の内側に当接する当接部７ａ，７ｂを構成し、これら各当接部７ａ，７ｂの上端と対向する部分で、前記商品見本装着孔３３に各取付補助部５ａ，５ｂを取り付ける際にこれらの取付補助部５ａ，５ｂを接近方向に撓ませるべく指で摘むための摘み部８ａ，８ｂを構成する。そして、取り付け時には、前記各取付補助部５ａ，５ｂの上端面がそれぞれ、前記商品見本装着孔３３の左右の段部下面３３ｂ，３３ｃにほぼ対応位置するよう構成している。
【００２０】
一方、保持部３は、対向面に互いに噛み合うように所定間隔を位置する凹凸部９ａ，９ｂをそれぞれ形成した一対の保持板１０ａ，１０ｂを備えている。これら保持板１０ａ，１０ｂの幅方向の長さが見本体２１の底部２３に設けた係止部２４の幅方向の長さとほぼ一致するように構成している。
【００２１】
続いて、上述した構成の見本体保持具１を用いて行う商品見本装着台３１への見本体２１の取付動作を説明する。まず、見本体保持具１の取付部２の取付基部４を、商品見本装着孔３３の下端内縁３３ａに上方から差し込むようにして係合する。次いで、取付補助部５ａ，５ｂの摘み部８ａ，８ｂを摘んで互いの接近方向に撓むよう付勢し、前記取付補助部５ａ，５ｂを前記商品見本装着孔３３の内側に位置させて、各係合凹部６ａ，６ｂを前記商品見本装着孔３３の側部内縁に対応位置させたうえ、前記付勢を解除すると前記各係合凹部６ａ，６ｂは対応位置する前記商品見本装着孔３３の内縁に係合する。
【００２２】
見本体保持具１を、商品見本装着孔３３に取り付けた後、見本体２１の底部２３を、係止部２４が保持板１０ａ，１０ｂに対応位置するようにして、前記保持板１０ａ，１０ｂ間に挿入し、凹凸部９ａ，９ｂの作用で見本体２１の底部２３を確実に挟持する。この時、見本体２１の底部２３は、係止部２４が各保持板１０ａ，１０ｂの両側端に係止して左右方向の動きを規制し、見本体２１の下部は傾斜面２２が商品見本装着台３１の傾斜面３２に当接する。
【００２３】
このようにして、商品見本体を安定した状態で商品見本装着台３１に取り付けることができる。一方、商品見本の交換にあたっては、見本体２１を見本体保持具１から外し、新たな見本体を、上述のようにして、当該見本体保持具１に取り付ければよいものである。
【００２４】
なお、本発明は上述の実施形態に限定されるものではなく、例えば、取付部２の構成としては、取付基部４のみが存在すればよく、一対の取付補助部５ａ，５ｂは常に必要というものではない。また、見本体２１の形状は、半割状であれば、ボトル状のほか、缶状やカップ状の各種飲料容器にならった形状でもよい。
【図面の簡単な説明】
【００２５】
【図１】見本体保持具の正面図。
【図２】見本体保持具の側面図。
【図３】図２のＡ−Ａ線断面図。
【図４】見本体保持具の一方の取付補助部の平面図。
【図５】見本体の斜視図。
【図６】商品見本装着台の商品見本装着孔を示す平面図。
【図７】商品見本を商品見本装着台に取り付けた状態の断面図。
【符号の説明】
【００２６】
１      見本体保持具
２      取付部
３      保持部
４      取付基部
５ａ，５ｂ      取付補助部
６ａ，６ｂ      係合凹部
７ａ，７ｂ      当接部
８ａ，８ｂ      摘み部
９ａ，９ｂ      凹凸部
１０ａ，１０ｂ      保持板
２１      見本体
２２      傾斜面
２３      底部
２４      係合部
３１      商品見本装着台
３２      傾斜面
３３      商品見本装着孔
３３ａ      下端内縁
３３ｂ，３３ｃ      段部下面
【図１】
2005050087.tif 000003
【図２】
2005050087.tif 000004
【図３】
2005050087.tif 000005
【図４】
2005050087.tif 000006
【図５】
2005050087.tif 000007
【図６】
2005050087.tif 000008
【図７】
2005050087.tif 000009